(57)【要約】制御シグナリングおよびデータ・シグナリングの多重化を回避するための遠隔通信装置の調整式スケジューリングのためのシステムおよび方法が開示される。この方法は、シグナリング伝送のためのラウンド・トリップ時間を定義することを含む。この方法はまた、ラウンド・トリップ時間シグナリング再伝送を定義することをも含む。この方法は、データ伝送および再伝送が送信中であるサブフレームで制御シグナリング伝送が送信中ではないサブフレーム時間位置で、第１スケジューリング・モードによって指示されるアップリンク伝送、および第２スケジューリング・モードによって指示されるダウンリンク伝送を行うために信号伝送および信号再伝送を割り振ることをさらに含む。このシステムおよび方法は、出力が限定された状況の遠隔通信装置に特に有用である。
2010541474.tif 000002
【特許請求の範囲】
【請求項１】
遠隔通信装置が制御シグナリングおよびデータ・シグナリングの多重化を回避するための調整式スケジューリングの方法であって、
データ・シグナリング伝送のためのラウンド・トリップ時間を定義するステップと、
第１スケジューリング・モードで指示されるアップリンク伝送のための前記データ・シグナリング伝送、データ・シグナリング再伝送、および制御シグナリング伝送と、第２スケジューリング・モードで指示されるダウンリンク伝送とを割り振るステップとを含み、前記データ・シグナリング伝送と前記制御シグナリング伝送とが異なるサブフレーム時間位置で行われるように偏位する、方法。
【請求項２】
前記調整式スケジューリングを実行する前に、前記遠隔通信装置が、出力が限定されたモバイルであるかどうかを識別するステップをさらに含む請求項１に記載の方法。
【請求項３】
前記第１スケジューリング・モードと前記第２スケジューリング・モードが共に動的である請求項１に記載の方法。
【請求項４】
前記第１スケジューリング・モードが動的であり、前記第２スケジューリング・モードが永続的である請求項１に記載の方法。
【請求項５】
前記第１スケジューリング・モードが永続的であり、前記第２スケジューリング・モードが動的である請求項１に記載の方法。
【請求項６】
前記第１スケジューリング・モードと前記第２スケジューリング・モードが共に永続的である請求項１に記載の方法。
【請求項７】
制御伝送とデータ伝送の多重化を回避するシステムであって、
第１スケジュール・グラントに従って、アップリンク制御シグナリング伝送、アップリンク制御シグナリング応答、アップリンク・データ・シグナリング伝送、およびアップリンク・データ・シグナリング再伝送を送信するように構成された移動局と、
第２スケジュール・グラントに従って、前記制御信号応答を要求するダウンリンク・データ・シグナリング伝送を送信するように構成された基地局送信機と、
前記制御シグナリング伝送、前記制御シグナリング再伝送、前記制御シグナリング応答、およびデータ・シグナリング伝送が互いに偏位する時間サブフレームに割り振られる時間サブフレーム中にシグナリング伝送を送信するように前記移動局および前記基地局送信機をスケジューリングするように構成された基地局スケジューラとを備える、システム。
【請求項８】
前記第１スケジュール・グラントが永続的スケジューリングであり、前記第２スケジュール・グラントが動的スケジューリングであり、前記基地局スケジューラが、前記アップリンク・データ・シグナリング伝送が永続的に割り振られる時間サブフレームでのアップリンク制御信号応答を要求する、時間サブフレーム中の前記ダウンリンク・データ・シグナリング伝送を禁止する請求項１１に記載のシステム。
【請求項９】
前記第１スケジュール・グラントが動的スケジューリングであり、前記第２スケジュール・グラントが永続的スケジューリングであり、前記基地局スケジュールが、前記アップリンク制御シグナリング伝送、アップリンク制御シグナリング再伝送、またはアップリンク制御シグナリング応答が永続的に割り振られる時間サブフレーム中の前記アップリンク・データ信号伝送を禁止する請求項１１に記載のシステム。
【請求項１０】
前記第１および第２スケジュール・グラントが永続的スケジューリングであり、永続的にスケジューリングされるデータおよび制御伝送が同一の時間サブフレームで行われないように、サブフレーム時間位置の時間オフセットと共に前記伝送が行われる請求項１１に記載のシステム。
【発明の詳細な説明】
【技術分野】
【０００１】
本開示は、Ｌｏｎｇ  Ｔｅｒｍ  Ｅｖｏｌｕｔｉｏｎ（ＬＴＥ）逆リンクでモバイル・ユーザに関する制御およびデータの多重化を回避する装置および方法に関する。より詳細には、本開示は、ＬＴＥ逆リンクで、出力が限定されたユーザに対するアップリンクおよびダウンリンク・スケジューリング割当てを調整する方法および装置に関する。
【背景技術】
【０００２】
本開示は特に、出力が限定されたユーザに関する多重化を回避するための特定の遠隔通信スケジューリング方法を対象とし、したがってそれを具体的に参照しながら本開示を説明するが、本開示が他の分野および応用例でも有用性を有することができることを理解されよう。例えば、アップリンクおよびダウンリンク・スケジューリング割当てを調整することのできる様々な遠隔通信ネットワークで本開示を使用することができる。
【０００３】
背景として、３ｒｄ  Ｇｅｎｅｒａｔｉｏｎ  Ｐａｒｔｎｅｒｓｈｉｐ  Ｐｒｏｊｅｃｔ（３ＧＰＰ）ＬＴＥは、逆リンクのために単一搬送周波数領域多元接続（ＳＣ−ＦＤＭＡ）を選んだ。その結果、データが送信されるのと同時に制御シグナリングが移動端末から基地局に送信されるとき、データ情報の適切なレート整合によって制御シグナリングをデータと多重化しなければならない。レート整合の結果、図１および図２に示されるように、制御チャネル・シグナリング１７、１９のためのスペースを作成するために符号化データ・シンボルがパンクチャリングされる。
【０００４】
ＬＴＥで逆リンクで送信する必要のある制御情報の例には、順方向リンクでハイブリッド自動再送要求（ＨＡＲＱ）をサポートするためのＡＣＫ／ＮＡＣＫ情報と、順方向リンクでのチャネルの品質に関する情報を基地局１３に与えるチャネル品質表示（ＣＱＩ）とが含まれる。こうした２つの主なタイプの制御シグナリングが、ダウンリンクをサポートするためにアップリンクで送信される。
【０００５】
ＨＡＲＱのためのＡＣＫ／ＮＡＣＫ−モバイルが検出する、ダウンリンクでモバイルに送信されるあらゆるパケットについて、モバイルは、パケットが成功裡に復号化された場合、肯定応答（ＡＣＫ）を生成する。モバイルは、パケットを成功裡に復号化することができなかった場合、否定応答（ＮＡＣＫ）を生成する。モバイルは、基地局１３がモバイルにパケットを送信した後の固定された時間にＡＣＫまたはＮＡＣＫを送信する。図１に示されるように、ダウンリンク・パケット１５がサブフレーム０で送信された場合、モバイル１１は、アップリンク上で、３サブフレーム後のサブフレーム３で、ＡＣＫまたはＮＡＣＫを基地局１３に送り戻す（ＬＴＥでのサブフレーム持続時間が１ミリ秒であることに留意されたい）。これは従来技術の一例に過ぎず、サブフレーム持続時間、ならびにダウンリンク・パケット伝送とＡＣＫまたはＮＡＣＫのモバイル伝送との間のサブフレーム数は、様々な実施形態に従って変化することがあることに留意されたい。
【０００６】
ＣＱＩ
ＣＱＩは、モバイル１１で測定されるダウンリンク・チャネル品質の尺度である。モバイル１１はそのような測定を行い、それをアップリンクで基地局１３に送り戻す。ＣＱＩ情報１９の送信は、基地局１３によって上位シグナリング層を介して制御され、それによって基地局は、開始時間および周期的レポーティング・サイクルをセットアップする。図２に示されるように、ＣＱＩ１９は、モバイル１１によって、サブフレーム２から始めて１０ミリ秒ごとに送信される。この実施形態では、ＣＱＩ１９がサブフレーム１２で再びレポートされ、以下同様である。これも従来技術での一実施形態に過ぎず、この周期的レポーティング・サイクルは変化することがある。
【０００７】
データ・シンボルを制御情報と共にパンクチャリングすることにより、データ・チャネル上のコード・レートが増加し、それによってデータ・チャネル上のサービス品質（ＱｏＳ）が低下する。これにより、パンクチャリング２１を補償するための措置を取らない場合、誤り率が増加する。
【０００８】
図３に示されるように、制御チャネル多重化の存在下でデータ・チャネル上のＱｏＳを維持することが有用である。一般的な一手法は、基地局１３が追加の出力オフセット３１をモバイル１１にシグナリングして、この制御チャネル・シグナリング１７、１９から導入されるパンクチャリング２１を補償することである。図３に示されるように、信号は、出力Ｐ＋Δｃｏｎｔｒｏｌで、離散フーリエ変換（ＤＦＴ）２３、副搬送波マッピング２５、高速フーリエ逆変換（ＩＦＦＴ）２７、およびサイクリック・プレフィックス（ＣＰ）挿入２９を通過する。Ｐは、制御チャネル多重化が行われないときにモバイル１１が使用する公称送信出力設定である。Ｐ＋Δｃｏｎｔｒｏｌは、特定のタイプの制御シグナリング（例えば、ＡＣＫ／ＮＡＣＫ１７、ＣＱＩ１９など）がデータ１５と多重化されるときの調整後出力設定である。図３は、公称出力レベルＰに追加の出力オフセットΔｃｏｎｔｒｏｌを適用して、制御情報１７、１９とのデータ１５のパンクチャリング２１を補償することの概念を示す。
【０００９】
３ＧＰＰ  ＬＴＥでサポートされるスケジューリングには一般に２つのタイプがある。こうしたタイプのスケジューリング・グラントには、動的スケジューリングおよび永続的スケジューリングが含まれる。動的スケジューリングでは、基地局１３からモバイル１１（ダウンリンク）、およびモバイル１１から基地局１３（アップリンク）へのあらゆるパケット伝送が、スケジューリング・グラントを使用することによって基地局１３で明示的にスケジューリングされる。ダウンリンク伝送とアップリンク伝送について別々のスケジューリング・グラントがある。スケジューリング・グラントは、基地局スケジューラ３５を介して発行される。このスケジューリング・グラントを物理的ダウンリンク制御チャネル（ＰＤＣＣＨ）上で送信することができる。永続的スケジューリングは一般に、ＬＴＥでの制御チャネル・ボトルネックを緩和するために使用される。永続的スケジューリングでは、所定の時間インスタンスで、および周波数の所定の位置でスケジューリングされることを上位層メッセージ（層２または層３）がモバイル１１に通知する。永続的スケジューリングにより、特定のパケット・サイズおよび変調方式を使用することができる。
【００１０】
アップリンクおよびダウンリンクについて別々の永続的スケジューリング・メッセージがある。例えば、変調方式ＱＰＳＫおよびパケット・サイズ３２０ビットで、周波数位置から始まる３６０キロヘルツの帯域幅を使用して、５ミリ秒ごとにモバイル１１がアップリンクで送信し、またはダウンリンクで受信することを可能にする永続的割振りをモバイル１１に割り当てることができる。このタイプのスケジューリングは、予測可能な到着レートを有するトラフィック源を有する多数のユーザをサポートするのに特に有用である。Ｖｏｉｃｅ  ｏｖｅｒ  Ｉｎｔｅｒｎｅｔ  Ｐｒｏｔｏｃｏｌ（ＶｏＩＰ）は、永続的スケジューリングをしばしば使用する顕著な一例である。
【００１１】
従来技術での多重化に伴う１つの一般的な問題は、アップリンク制御情報がない場合にモバイルがアップリンク・データ・チャネル上でＱｏＳを維持するために既に最大出力で送信している可能性があることである。言い換えれば、制御情報がアップリンク・データ情報と多重化されるとき、モバイル送信出力を向上させる現況技術の解決策は適用可能ではない。例えば、既に最大となった出力にΔｃｏｎｔｒｏｌを加えることは、モバイルが既に最大出力で動作中であるので実現可能ではない。このような場合、この多重化解決策のためにＱｏＳが低下する。
【発明の概要】
【発明が解決しようとする課題】
【００１２】
多重化が不要となる方式でデータおよび制御をスケジューリングすることを可能にする方法が当業界で求められている。さらに、特に出力が限定されたモバイル・ユーザのために、多重化を回避する方式でアップリンクおよびダウンリンク・スケジューリング割当てが調整される解決策を提供する方法およびシステムが当業界で求められている。アップリンクおよびダウンリンク・スケジューリング・グラントにかかわらずこの解決策が等しく実現可能であることも有用なはずである。
【００１３】
本開示では、上記で参照した難点およびその他を解決する新しい改良型の方法が企図される。
【課題を解決するための手段】
【００１４】
出力が限定されたモバイルに関する制御シグナリングおよびデータ・シグナリングの多重化を回避するためのモバイルの調整式スケジューリングのための方法およびシステムが提供される。本開示は、アップリンクおよびダウンリンクに関して制御シグナリング伝送およびデータ・シグナリング伝送を異なる時間サブフレーム中にスケジューリングすることを可能にする。本開示は、多重化がサービス品質を犠牲にして行われる、出力が限定されたモバイルに対して特に有用である。
【００１５】
本開示の一態様では、遠隔通信装置の調整式スケジューリングのための方法が、シグナリング伝送のためのラウンド・トリップ時間を定義すること、データ・シグナリング再伝送のためのラウンド・トリップ時間を定義すること、ならびにデータ伝送および再伝送が送信中であるサブフレームで制御シグナリング伝送が送信中ではないサブフレーム時間位置で、第１スケジューリング・モードによって指示されるアップリンク伝送、および第２スケジューリング・モードによって指示されるダウンリンク伝送を行うためにシグナリング伝送およびシグナリング再伝送を割り振ることを含む。
【００１６】
本開示の別の態様によれば、この方法は、調整式スケジューリングを実行する前に、遠隔通信装置が、出力が限定されたモバイルであるかどうかを識別することを含む。
【００１７】
本開示の別の態様によれば、ヘッド・ルーム・レポーティングを介して、遠隔通信装置が、出力が限定されたモバイルとして識別される。
【００１８】
本開示の別の態様によれば、この方法は、第１スケジューリング・モードと第２スケジューリング・モードが共に動的であることを含む。
【００１９】
本開示の別の態様によれば、この方法は、第１スケジューリング・モードが動的であり、第２スケジューリング・モードが永続的であることを含む。
【００２０】
本開示の別の態様によれば、この方法は、シグナリング伝送およびシグナリング再伝送を割り振ることが、アップリンクでの応答伝送を委ねるサブフレームでのダウンリンク・データ伝送を、永続的にスケジューリングされるデータ伝送を有するサブフレームに制限することを含む。
【００２１】
本開示の別の態様によれば、この方法は、第１スケジューリング・モードが永続的であり、第２スケジューリング・モードが動的であることを含む。
【００２２】
本開示の別の態様によれば、この方法は、シグナリング伝送およびシグナリング再伝送を割り振ることが、アップリンクで永続的にスケジューリングされる応答伝送を有するサブフレームでのアップリンク・データ伝送を制限することを含むことを含む。
【００２３】
本開示の別の態様によれば、この方法は、第１スケジューリング・モードと第２スケジューリング・モードが共に永続的であることを含む。
【００２４】
本開示の別の態様によれば、この方法は、スケジューリングされる伝送が同時に生じないように、サブフレーム時間位置の時間オフセットと共に伝送を行うためのスケジューリング割振りをさらに含む。
【００２５】
本開示の別の態様によれば、制御およびデータ伝送の多重化を回避するシステムが、第１スケジューリング・グラントに従って、アップリンク制御シグナリング伝送、アップリンク制御シグナリング応答、アップリンク・データ・シグナリング伝送、およびアップリンク・データ・シグナリング再伝送を送信するように構成された移動局と、第２スケジューリング・グラントに従って、制御信号応答を要求するダウンリンク・データ・シグナリング伝送を送信するように構成された基地局送信機と、制御シグナリング伝送、制御シグナリング応答、データ・シグナリング伝送、およびデータ・シグナリング再伝送が同一の時間サブフレームに割り振られない時間フレーム中にシグナリング伝送を送信するように移動局および基地局送信機をスケジューリングするように構成された基地局スケジューラとを備える。
【００２６】
本開示の別の態様によれば、このシステムは、移動局が、出力が限定された移動局であることを含む。
【００２７】
本開示の別の態様によれば、このシステムは、第１および第２スケジュール・グラントが動的スケジューリングであることを含む。
【００２８】
本開示の別の態様によれば、このシステムは、第１スケジューリング・グラントが永続的スケジューリングであり、第２スケジューリング・グラントが動的スケジューリングであり、基地局スケジューラが、アップリンク・データ・シグナリング伝送および再伝送が永続的に割り振られる時間サブフレームでのアップリンク制御信号応答を要求する、時間フレーム中のダウンリンク・データ・シグナリング伝送を禁止することを含む。
【００２９】
本開示の別の態様によれば、このシステムは、第１スケジューリング・グラントが動的スケジューリングであり、第２スケジューリング・グラントが永続的スケジューリングであり、基地局スケジューラが、アップリンク制御シグナリング伝送またはアップリンク制御シグナリング応答が永続的に割り振られる時間サブフレーム中のアップリンク・データ信号伝送および再伝送を禁止することを含む。
【００３０】
本開示の別の態様によれば、このシステムは、第１および第２スケジュール・グラントが永続的スケジューリングであり、永続的にスケジューリングされるデータおよび制御伝送が同一の時間サブフレームで行われないように、サブフレーム時間位置の時間オフセットと共に伝送が行われることを含む。
【００３１】
本開示の別の態様によれば、制御およびデータ伝送の調整式スケジューリングのためのシステムは、アップリンク上で伝送を通信するように構成された第１送信機と、ダウンリンク上で伝送を通信するように構成された第２送信機と、データ伝送および制御伝送が共通のサブフレーム中に送信されないように伝送を通信するように第１および第２送信機を調整するように構成されたスケジューラとを備える。
【００３２】
本開示の別の態様によれば、このシステムは、制御伝送が再伝送を含むことを含む。
【００３３】
本開示の別の態様によれば、このシステムは、制御伝送がＡＣＫ／ＮＡＣＫ応答を含むことを含む。
【００３４】
本開示の別の態様によれば、このシステムは、制御伝送が品質チャネル情報伝送を含むことを含む。
【００３５】
現在説明している実施形態は、装置の様々な部分の構成、配置、および組合せ、ならびに方法のステップとして存在し、それによって、企図される目的が、以下でより完全に説明するように達成され、具体的には特許請求の範囲で指摘され、添付の図面で示されるように達成される。
【図面の簡単な説明】
【００３６】
【図１】通信ネットワーク上の多重化の従来技術の例を示す図である。
【図２】ダウンリンク伝送とアップリンク伝送との間のタイミング関係を示す別の従来技術の例を示す図である。
【図３】制御伝送の別の従来技術の例を示す図であり、この場合、ＣＱＩが遠隔通信ネットワーク内のアップリンク上で送信される。
【図４ａ】遠隔通信ネットワーク内のスケジューリングの従来技術の例を示す図である。
【図４ｂ】本開示による、アップリンク・データの伝送および再伝送が多重化されないようなアップリンク・データのスケジューリングを示す図である。
【図５】本開示によるスケジューリングおよびスケジューリング制限の一例を示す図である。
【図６】本開示による、多重化を回避するためのダウンリンク・スケジューリングに対する制限の一例を示す図である。
【図７】本開示による、多重化を回避するためのアップリンク・スケジューリングに対する制限の一例を示す図である。
【図８】本開示による、多重化を回避するためのアップリンクおよびダウンリンクでの永続的スケジューリング割当ての一例を示す図である。
【発明を実施するための形態】
【００３７】
ここで図面を参照すると、示されているものは、開示される実施形態を示すためのものに過ぎず、開示される実施形態を限定するためのものではなく、図４ａおよびｂが、アップリンク・データ伝送のスケジューリングを示す。このアップリンクが、モバイル１１から基地局１３に送信されている。この説明は一実施形態を示すに過ぎない。他の実施形態が存在し、その実施形態は特許請求の範囲内にやはり包含されることを理解されたい。例えば、モバイル・ユニット１１は、限定はしないがワイヤレス電話、ＶｏＩＰ電話、ラップトップ・コンピュータ、デスクトップ・コンピュータ、ＷｉＦｉ電話などを含む任意の数の通信装置を含むことができる。こうした装置は、互換回線を介して通信するのに使用される典型的なユーザ装置である。この実施形態では、モバイル通信装置が携帯電話１１として示される。
【００３８】
本開示の一般的概念は、データがアップリンク上で送信されているのと同時に（ダウンリンクを支持するための）制御チャネル情報をアップリンク上で送信することが必要となるケースを回避するような方式でダウンリンク・スケジューリングおよびアップリンク・スケジューリングを調整することである。本開示は、アップリンクで出力が限定されると識別されるモバイル装置に対して特に有用である。アップリンクで出力が限定されたユーザとは、最大送信出力制約のために、図３の、公称出力レベルＰからの必要な追加の出力オフセットΔｃｏｎｔｒｏｌ３１をサポートすることのできないユーザと定義される。これには、アップリンク・データだけについて最大出力を既に送信しているユーザが含まれることに留意されたい。
【００３９】
３ＧＰＰ  ＬＴＥは、モバイル出力ヘッド・ルーム・レポーティングと呼ばれるものをサポートする。これは、最大モバイル送信出力から現公称出力レベル設定Ｐを引いたものを示す、モバイル１１から基地局１３へのレポートである。そのようなレポートを用いて、基地局は、出力が限定されるとモバイルが分類されるかどうかを判定することができる。この記載の方法は、出力が限定されたモバイルが多重化のためにＱｏＳを犠牲にしないように、こうしたモバイルに対して特に有用である。ある実施形態では、スケジューラ３５は、どの伝送が優先順位を受けるかを決定するソフトウェアを収容する。ある例示的実施形態に関する詳細を以下に略述する。
【００４０】
図４ａおよびｂをさらに参照すると、少なくとも１つの形態では、基地局スケジューラ３５が、ＣＱＩ伝送の周期性と、時間の点でのサブフレーム位置とを構成する。この実施形態では、時間の点でのサブフレーム位置は１ミリ秒に等しい。しかし、このことは必ずしもすべての実施形態でそうであるわけではない。１ミリ秒は任意の時間単位であり、例示のためのものに過ぎない。
【００４１】
図４ａを参照すると、アップリンク・データ伝送の不適切なスケジューリングが示されている。この実施形態では、ＣＱＩは、１０サブフレーム位置ごとに周期的に送信されるようにスケジューリングされる。図４ａに示されるように、ＣＱＩ１９が第２サブフレームで送信され、第１２サブフレームで再び送信される。不適切なスケジューリングのために、やはり第１２サブフレームでデータがアップリンク上で送信され、多重化が引き起こされ、強制的にデータおよび制御情報がパンクチャリングされる（２１）ことに留意されたい。データがサブフレーム７で送信されたので、この実施形態では再伝送がサブフレーム１２で送信される。ＨＡＲＱ再伝送時間が５サブフレームであるからである。パケットの再伝送は一般に初期伝送の後の固定時間枠で行われるので、逆リンクで同期ＨＡＲＱを使用する際に特別な配慮を行うべきであることに留意されたい。この例では、固定時間は５ミリ秒である。３ＧＰＰ  ＬＴＥ標準では、この時間はＨＡＲＱラウンド・トリップ時間と定義される。したがって本願によれば、モバイルについて初期アップリンク・パケット伝送をスケジューリングするとき、モバイルがＣＱＩを送信するように構成されるサブフレームで、再伝送が行われないことが有用である。通常は、モバイルについて構成された最大数のＨＡＲＱ伝送があることにも留意されたい。
【００４２】
一実施形態では、基地局スケジューラ３５は、モバイルがＣＱＩ１９を送信するように構成されたサブフレームでは、動的スケジューリング・グラントでも、永続的スケジューリング・グラントでも、出力が限定されたモバイル１１がアップリンクでデータ１５を送信するようにスケジューリングしない。このことは、モバイルの第１伝送と、アップリンクでＨＡＲＱを利用するときに必要となる可能性のある任意の他の再伝送のどちらにも当てはまるべきである。
【００４３】
次に図４ｂを参照すると、モバイルがＣＱＩ１９を送信するように構成されるサブフレームと初期伝送および可能な再伝送が重複しないような方式で初期アップリンク・データ伝送１５がスケジューリングされる一例が与えられている。この実施形態では、ＣＱＩ１９が、サブフレーム２および１２で送信されるようにスケジューリングされ、データ伝送１５が、サブフレーム０で送信され、サブフレーム５で再び送信され、サブフレーム１０で再び送信されるようにスケジューリングされる。この実施形態では、伝送または再伝送とＣＱＩ１９との多重化はない。データは、多重化が必要とならない時間に送信されるようにスケジューリングされた。
【００４４】
本開示はまた、ＡＣＫ／ＮＡＣＫ１７とアップリンク・データ伝送との多重化を回避する方法にも関する。一般には、アップリンク伝送およびダウンリンク伝送は、２つの異なるスケジューリング・モードの一方を介して行うことができる。したがって、本開示は、可能な４つの異なるケースを別々に略述する。４つの異なるケースとは、アップリンクとダウンリンクの両方での動的スケジューリング、アップリンクでの永続的スケジューリングおよびダウンリンクでの動的スケジューリング、ダウンリンクでの永続的スケジューリングおよびアップリンクでの動的スケジューリング、ならびにアップリンクとダウンリンクの両方での永続的スケジューリングである。
【００４５】
ケース１．アップリンクとダウンリンクの両方での動的スケジューリング
特定のサブフレームでのダウンリンク・スケジューリング・グラントを仮定すると、この実施形態では、そのサブフレームで、モバイルがＡＣＫまたはＮＡＣＫ１７を送信することによって応答することが正確に知られる。この場合、図１の基地局スケジューラ３５は、既にスケジューリングされたダウンリンク伝送についてモバイル１１がＡＣＫ／ＮＡＣＫ１７で応答することを試みるサブフレームで、出力が限定されたモバイル１１についてアップリンク・データ伝送１５をスケジューリングしない。アップリンク・データ１５に関する同期ＨＡＲＱ再伝送の場合、特別な配慮を払うべきであることにも留意されたい。したがって、基地局１３によるアップリンク・スケジューリング・グラント（出力が限定されたモバイル１１が所与のサブフレームで送信することを可能にする）を仮定すると、基地局１３は、モバイルがアップリンク・データを送信しているサブフレームでモバイル１１がＡＣＫ／ＮＡＣＫ１７を送信することを必要とする時間インスタンスで、モバイル１１へのダウンリンク伝送１５をスケジューリングしない。このシナリオは、初期伝送、ならびに必要となる可能性のある任意の再伝送を含むべきである。
【００４６】
次に図５を参照すると、ＡＣＫ／ＮＡＣＫ１７とアップリンク・データ伝送１５との多重化を回避するための、アップリンクおよびダウンリンク・スケジューリングに対する制限の一例が示されている。この図は、サブフレーム０でダウンリンク伝送１５を示す。サブフレーム３では、ＡＣＫ／ＮＡＣＫ１７が送信されるようにスケジューリングされるので、基地局１３は、モバイルをスケジューリングしない。これは、この実施形態ではＡＣＫ／ＮＡＣＫ１７がダウンリンク・データ伝送１５の３サブフレーム後ろに続くからである。さらに、ＨＡＲＱラウンド・トリップ時間が５ミリ秒（またはサブフレーム）である場合、再伝送はサブフレーム６および１１となる。したがって、基地局１３は、サブフレーム３および８でのダウンリンク伝送１５を制限し、その結果、ＡＣＫ／ＮＡＣＫ１７は再伝送と多重化されず、再伝送はサブフレーム６および１１で行われる。まとめると、基地局は、フレーム３および８でダウンリンク・データ伝送１５を制限し、サブフレーム３でアップリンク・データ伝送を制限する。サブフレーム３および８で行われるダウンリンク・データ伝送１５は、ＡＣＫ／ＮＡＣＫ１７伝送がフレーム６および１１でアップリンクで送信される状況を生み出すことになる。したがって、基地局スケジューラ３５は、こうしたサブフレームでダウンリンク・データ伝送１５をスケジューリングしない。さらに、サブフレーム０に送られるダウンリンク・データ伝送１５に応答して、ＡＣＫ／ＮＡＣＫ１７アップリンク伝送が行われると予想されるので、基地局スケジューラ３５は、サブフレーム３でアップリンク・データ伝送２５をスケジューリングしない。
【００４７】
ケース２．アップリンクでの永続的スケジューリングおよびダウンリンクでの動的スケジューリング
アップリンクでの永続的スケジューリングの場合、モバイル１１は、定義済みの時間インスタンス（例えば、一定の好ましいサブフレーム）および一定の位置および周波数でアップリンク・データを送信することが許可されることを、上位層シグナリングを介して通知を受ける。制御シグナリングとの多重化が関係する限り、本開示は主に、モバイルがアップリンク・データ１７を送信するように構成される定義済みのサブフレームに関係する。アップリンク・データ１７に関する永続的スケジューリングのこのケースでは、基地局１３は、永続的スケジューリング割当てによってアップリンク・データ１５を送信するように構成されたのと同じサブフレームでモバイルによって送信されるＡＣＫ／ＮＡＣＫ１７を要求するサブフレームで、モバイル１１に対するダウンリンクでのパケット伝送をスケジューリングしない。
【００４８】
次に図６を参照すると、上述のケースの一例が示されている。図６では、サブフレーム３から始めて５サブフレームごとにモバイルのアップリンク・データ伝送１５を行うための永続的スケジューリングと共にモバイルが構成されている。さらに、モバイル１１へのダウンリンク伝送と、対応するＡＣＫ／ＮＡＣＫ１７の伝送との間の時間は、図１と同様に３サブフレームである。この実施形態では、図３のスケジューラ３５は、サブフレーム０およびその後の５サブフレームごとに、モバイルに対するダウンリンク・データ１５のスケジューリングを制限する。この例では、ＡＣＫ／ＮＡＣＫ１７と永続的にスケジューリングされるアップリンク・データ伝送１５との多重化を回避するのにダウンリンク・スケジューリングが使用される。この実施形態では、サブフレーム３およびその後の５サブフレームごとの永続的アップリンク・スケジューリング割振りが、サブフレーム０およびその後の５サブフレームごとのモバイル１１に対するダウンリンク伝送１５の制限を要求することになる。この実施形態では、ダウンリンク・データ伝送１３が、制限されたサブフレームのうちの１つで行われるべき場合、ＡＣＫ／ＮＡＣＫ１７が、多重化を必要とするアップリンク・データ伝送と同一のサブフレームで送信される。
【００４９】
これはもちろん一実施形態に過ぎず、こうした要素の多くは、変更してなおかつ特許請求の範囲内に包含されることが可能である。例えば、永続的スケジューリングは、１０フレームごと、または１３フレームごとなどにアップリンク伝送を要求することができる。さらに、ダウンリンク伝送と、対応する応答ＡＣＫ／ＮＡＣＫとの間の時間は、任意の数のサブフレームでよい。さらに、サブフレームが表す時間量は、本開示の様々な実施形態に従って変化することができる。
【００５０】
ケース３．ダウンリンクでの永続的スケジューリングおよびアップリンクでの動的スケジューリング
ダウンリンクでの永続的スケジューリングのケースでは、モバイル１１は、定義済みの時間インスタンス（例えば、一定の定義済みサブフレーム）にダウンリンクでモバイル１１に送信されるデータが潜在的に存在することを、上位層シグナリングを介して通知を受ける。ダウンリンクおよび永続的に割り振られたサブフレームでどんなデータも送信する必要はないことに留意されたい。ダウンリンク・データについての永続的スケジューリングのケースでは、基地局１３は、モバイル１１に対する永続的に割り振られたダウンリンク伝送に応答してＡＣＫ／ＮＡＣＫ１７を送信する必要がある可能性のあるサブフレームでアップリンク・データ・パケット伝送１５をスケジューリングしない。先に論じたケースと同様に、この実施形態はまた、必要となる可能性のあるアップリンク・データ１５のアップリンク同期再伝送がある場合にそれを考慮に入れるべきであることに留意されたい。
【００５１】
次に図７を参照すると、ＡＣＫ／ＮＡＣＫ１７と永続的にスケジューリングされるダウンリンク・データ伝送１５との多重化を回避するための、アップリンク・スケジューリングに対する制限の一例が示されている。この例では、基地局スケジューラ３５が、サブフレーム０から始めて１０サブフレームごとにモバイル１１のダウンリンク・データ伝送１５を行うための永続的スケジューリング・グラントと共にモバイル１１を構成している。さらに、モバイルへのダウンリンク伝送と、対応するＡＣＫ／ＮＡＣＫ１７の伝送との間の時間が３サブフレームである（前の例と同様）。さらに、この実施形態では、アップリンクでの同期ＨＡＲＱ伝送間の時間は、前の例と同様に５サブフレームである。しかし、これは一実施形態に過ぎず、同期ＨＡＲＱ伝送間の時間は任意の時間単位でよいことに再び留意されたい。
【００５２】
この実施形態では、アップリンク・データのスケジューリングが、このユーザについてサブフレーム３およびその後の１０サブフレームごとに制限される。さらに、アップリンク・データのスケジューリングが、このユーザに対してサブフレーム８およびその後の１０サブフレームごとに制限される。サブフレーム０およびその後の１０フレームごとの永続的ダウンリンク・スケジューリング割振りを仮定すると、スケジューリングが、アップリンク伝送でこのモバイルについてサブフレーム３およびその後の１０サブフレームごとに制限される。こうしたサブフレームが、永続的に割り振られるアップリンク・サブフレームでモバイル１１によって送信されるＡＣＫ／ＮＡＣＫ１７を潜在的に要求するからである。さらに、この実施形態では、モバイル１１がＨＡＲＱ再伝送を使用するように構成される場合、サブフレーム８およびその後の６サブフレームごとにやはり制限される。
【００５３】
ケース４．アップリンクとダウンリンクの両方での永続的スケジューリング
アップリンクとダウンリンクの両方での永続的スケジューリングのケースでは、永続的にスケジューリングされるアップリンク伝送が、ダウンリンクでの伝送に応答してモバイルがＡＣＫ／ＮＡＣＫ１７を送信することを必要とするサブフレームと同時に生じないように、こうした永続的割振りが時間の点で偏位されるべきである。ダウンリンク伝送と、アップリンクでのモバイル１１による対応するＡＣＫ／ＮＡＣＫ１７の伝送との間のオフセットをＸサブフレームとすると（前の例ではＸ＝３）、アップリンク永続的割振りがダウンリンク永続的スケジューリング割振りよりもＸサブフレーム後に生じるように、アップリンク／ダウンリンク永続的割振りの構成が制限される。
【００５４】
次に図８を参照すると、アップリンクの永続的にスケジューリングされる伝送が、ダウンリンク永続的割振りに応答して使用される潜在的ＡＣＫ／ＮＡＣＫ１７伝送と同時に行われないような、アップリンクおよびダウンリンクの永続的スケジューリング割当ての一例が示されている。この実施形態では、モバイルが、アップリンクとダウンリンクの両方について永続的割振りのために構成される。さらに、永続的割振りが、アップリンクとダウンリンクの両方について時間の点で５サブフレームごとに行われる。最後に、前の例と同様にオフセット（Ｘ）は３に等しいと仮定する。図８は、アップリンクおよびダウンリンクについて許される永続的割振り割当てを示す。この図では、アップリンク永続的スケジューリング割当てとダウンリンク永続的スケジューリング割当てとの間のオフセットは１サブフレームである。この実施形態では、データ伝送１５および制御伝送１７、１９が同一のサブフレームで行われないので、多重化は有用ではなく、不要である。永続的割振りオフセットは、多重化が不要となるようなものとなる。
【００５５】
前の例の４つすべてで、スケジューリングはＣＱＩ１９の伝送を考慮に入れるべきであることに留意されたい。本開示の一目的は、ＡＣＫ／ＮＡＣＫおよびＣＱＩ１９を含む、すべてのタイプの制御およびデータ・シグナリングの多重化を回避することである。
【００５６】
様々なソフトウェア構成および／またはハードウェア構成でこの方法を実装することができることを理解されたい。一実施形態では、上述の方法を実装するソフトウェアは、遠隔通信システム全体にわたって様々なネットワーク要素内に常駐することができる。別の実施形態では、多数の適切なネットワーク要素上に、この方法を実装するソフトウェアおよび／またはハードウェアを分散させることができる。一形態では、この方法を実装するソフトウェアは、基地局スケジューラ３５内で見つかる。
【００５７】
上記の説明は、特許請求される発明の特定の実施形態の開示を与えるに過ぎず、特許請求される発明をその特定の実施形態に限定するためのものではない。したがって、本開示は、上述の実施形態のみに限定されない。むしろ、本発明の範囲内に包含される代替実施形態を当業者は思いつくことができることを理解されたい。
【図１】
2010541474.tif 000003
【図２】
2010541474.tif 000004
【図３】
2010541474.tif 000005
【図４ａ】
2010541474.tif 000006
【図４ｂ】
2010541474.tif 000007
【図５】
2010541474.tif 000008
【図６】
2010541474.tif 000009
【図７】
2010541474.tif 000010
【図８】
2010541474.tif 000011
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
遠隔通信装置が制御シグナリングおよびデータ・シグナリングの多重化を回避するための調整式スケジューリングの方法であって、
データ・シグナリング伝送のためのラウンド・トリップ時間を定義するステップと、
第１スケジューリング・モードで指示されるアップリンク伝送のための前記データ・シグナリング伝送、データ・シグナリング再伝送、および制御シグナリング伝送と、第２スケジューリング・モードで指示されるダウンリンク伝送とを割り振るステップとを含み、前記データ・シグナリング伝送と前記制御シグナリング伝送とが異なるサブフレーム時間位置で行われるように偏位する、方法。
【請求項２】
前記調整式スケジューリングを実行する前に、前記遠隔通信装置が、出力が限定されたモバイルであるかどうかを識別するステップをさらに含む請求項１に記載の方法。
【請求項３】
前記第１スケジューリング・モードと前記第２スケジューリング・モードが共に動的である請求項１に記載の方法。
【請求項４】
前記第１スケジューリング・モードが動的であり、前記第２スケジューリング・モードが永続的である請求項１に記載の方法。
【請求項５】
前記第１スケジューリング・モードが永続的であり、前記第２スケジューリング・モードが動的である請求項１に記載の方法。
【請求項６】
前記第１スケジューリング・モードと前記第２スケジューリング・モードが共に永続的である請求項１に記載の方法。
【請求項７】
制御伝送とデータ伝送の多重化を回避するシステムであって、
第１スケジュール・グラントに従って、アップリンク制御シグナリング伝送、アップリンク制御シグナリング応答、アップリンク・データ・シグナリング伝送、およびアップリンク・データ・シグナリング再伝送を送信するように構成された移動局と、
第２スケジュール・グラントに従って、前記制御信号応答を要求するダウンリンク・データ・シグナリング伝送を送信するように構成された基地局送信機と、
前記制御シグナリング伝送、前記制御シグナリング再伝送、前記制御シグナリング応答、およびデータ・シグナリング伝送が互いに偏位する時間サブフレームに割り振られる時間サブフレーム中にシグナリング伝送を送信するように前記移動局および前記基地局送信機をスケジューリングするように構成された基地局スケジューラとを備える、システム。
【請求項８】
前記第１スケジュール・グラントが永続的スケジューリングであり、前記第２スケジュール・グラントが動的スケジューリングであり、前記基地局スケジューラが、前記アップリンク・データ・シグナリング伝送が永続的に割り振られる時間サブフレームでのアップリンク制御信号応答を要求する、時間サブフレーム中の前記ダウンリンク・データ・シグナリング伝送を禁止する請求項７に記載のシステム。
【請求項９】
前記第１スケジュール・グラントが動的スケジューリングであり、前記第２スケジュール・グラントが永続的スケジューリングであり、前記基地局スケジュールが、前記アップリンク制御シグナリング伝送、アップリンク制御シグナリング再伝送、またはアップリンク制御シグナリング応答が永続的に割り振られる時間サブフレーム中の前記アップリンク・データ信号伝送を禁止する請求項７に記載のシステム。
【請求項１０】
前記第１および第２スケジュール・グラントが永続的スケジューリングであり、永続的にスケジューリングされるデータおよび制御伝送が同一の時間サブフレームで行われないように、サブフレーム時間位置の時間オフセットと共に前記伝送が行われる請求項７に記載のシステム。
【国際調査報告】
2010541474.tif 000012
2010541474.tif 000013